(57)【要約】      （修正有）【課題】シャローイングおよびハンドファーストの動作を容易に身に着けることができる練習用ゴルフクラブを提供する。【解決手段】直線状のシャフト部１０と、シャフト部の基端側に設けられたグリップ部２０と、シャフト部の先端側に設けられたヘッド部３０とを備え、ヘッド部は、ゴルフボールを打撃可能なアイアンヘッドまたはウッドヘッドからなる練習用ゴルフクラブ１であって、グリップ部は、先端側を握る一方の手の親指および人差し指の間に隆起する先端側位置決め部２１を備えており、シャフト部の軸方向に見たときに、シャフト部の中心から先端側位置決め部の頂部２１ａに向かう方向に対してヘッド部のリーディングエッジがなす角度が、３３〜４３度である。【選択図】図１
0003232874.tif 000002
【実用新案登録請求の範囲】
【請求項１】
直線状のシャフト部と、前記シャフト部の基端側に設けられたグリップ部と、前記シャフト部の先端側に設けられたヘッド部とを備え、前記ヘッド部は、ゴルフボールを打撃可能なアイアンヘッドまたはウッドヘッドからなる練習用ゴルフクラブであって、
前記グリップ部は、先端側を握る一方の手の親指および人差し指の間に隆起する先端側位置決め部を備えており、
前記シャフト部の軸方向に見たときに、前記シャフト部の中心から前記先端側位置決め部の頂部に向かう方向に対して前記ヘッド部のリーディングエッジがなす角度が、３３〜４３度である練習用ゴルフクラブ。
【請求項２】
前記シャフト部の軸線および前記先端側位置決め部の頂部を含む仮想平面に対して、前記ヘッド部の重心位置が目標方向側に配置されている請求項１に記載の練習用ゴルフクラブ。
【考案の詳細な説明】
【技術分野】
【０００１】
本考案は、練習用ゴルフクラブに関する。
【背景技術】
【０００２】
従来のゴルフ練習具として、特許文献１には、グリップの表面に指形の凹凸を設けて、使用者が凹凸に合わせてグリップを把持することにより、正しい握り方を習得することができるゴルフグリップ練習具が開示されている。このゴルフグリップ練習具は、グリップの方向をクラブフェースの方向に合わせて調整できる識別マークを有しており、シャフト上の正面マークを基準に識別マークの位置を調整してシャフトに装着することにより、スクエヤーグリップ、ストロンググリップ、ウィークグリップでの練習が可能とされている。
【先行技術文献】
【特許文献】
【０００３】
【特許文献１】実開昭６１−１５６９７０号
【考案の概要】
【考案が解決しようとする課題】
【０００４】
ところで、最近のゴルフスイングにおいては、ダウンスイングにおいてヘッドを低い位置から浅い角度でボールに向かわせるシャローイングや、グリップの位置がボールよりも目標方向側にある状態でインパクトするハンドファーストが広く提案されているが、上記従来のゴルフ練習具は、シャローイングやハンドファーストを習得するのに必ずしも適したものではない。
【０００５】
そこで、本考案は、シャローイングおよびハンドファーストの動作を容易に身に着けることができる練習用ゴルフクラブの提供を目的とする。
【課題を解決するための手段】
【０００６】
本考案の前記目的は、直線状のシャフト部と、前記シャフト部の基端側に設けられたグリップ部と、前記シャフト部の先端側に設けられたヘッド部とを備え、前記ヘッド部は、ゴルフボールを打撃可能なアイアンヘッドまたはウッドヘッドからなる練習用ゴルフクラブであって、前記グリップ部は、先端側を握る一方の手の親指および人差し指の間に隆起する先端側位置決め部を備えており、前記シャフト部の軸方向に見たときに、前記シャフト部の中心から前記先端側位置決め部の頂部に向かう方向に対して前記ヘッド部のリーディングエッジがなす角度が、３３〜４３度である練習用ゴルフクラブにより達成される。
【０００７】
この練習用ゴルフクラブは、前記シャフト部の軸線および前記先端側位置決め部の頂部を含む仮想平面に対して、前記ヘッド部の重心位置が目標方向側に配置されていることが好ましい。
【考案の効果】
【０００８】
本考案によれば、シャローイングおよびハンドファーストの動作を容易に身に着けることができる練習用ゴルフクラブを提供することができる。
【図面の簡単な説明】
【０００９】
【図１】本考案の一実施形態に係る練習用ゴルフクラブの平面図である。
【図２】図１に示す練習用ゴルフクラブをシャフト部の軸方向に見た側面図である。
【図３】図１に示す練習用ゴルフクラブをアドレスした状態を使用者の目線で示す斜視図である。
【図４】図１に示す練習用ゴルフクラブの使用方法を説明するための図である。
【考案を実施するための形態】
【００１０】
以下、本考案の一実施形態について添付図面を参照しつつ説明する。図１は、本考案の一実施形態に係る練習用ゴルフクラブの平面図である。図１に示すように、練習用ゴルフクラブ１は、金属や硬質樹脂等により直線状に形成されたシャフト部１０と、シャフト部１０の基端側に設けられたグリップ部２０と、シャフト部１０の先端側に設けられたヘッド部３０とを備えている。
【００１１】
グリップ部２０は、ゴムや合成樹脂等からなり、先端側に使用者の一方の手（右打ちの場合は右手）を位置決めするための先端側位置決め部２１が設けられている。先端側位置決め部２１は、一方の手の親指および人差し指の間に隆起するように形成されており、親指および人差し指により形成されるＶ字形状に沿うように三角錐状とされている。
【００１２】
グリップ部２０における先端側位置決め部２１の基端側には、使用者の他方の手（右打ちの場合は左手）を位置決めするための基端側位置決め部２２が設けられている。基端側位置決め部２２は、他方の手の親指および人差し指の間に隆起するように形成されており、親指および人差し指により形成されるＶ字形状に沿うように三角錐状とされている。
【００１３】
ヘッド部３０は、ゴルフボールを打撃可能な一般的なゴルフクラブのヘッドと同様のものを使用することが可能であり、本実施形態ではアイアンヘッドを使用している。ヘッド部３０は、ウッドヘッドであってもよい。
【００１４】
図２は、図１に示す練習用ゴルフクラブ１をシャフト部１０の軸方向に見た側面図である。図１および図２に示すように、グリップ部２０の先端側位置決め部２１の頂部２１ａが一番上になる向きで、ヘッド部３０はバックフェース３１が斜め上方を向いており、従来のゴルフ練習具のヘッドよりも、フェース３２がかなり閉じたシャットの状態になっている。この状態においては、図１に示すシャフト部１０の軸線および先端側位置決め部２１の頂部２１ａを含む仮想平面Ｐに対して、ヘッド部３０の重心位置Ｇが目標方向Ｔ側に配置されており、この点においても、重心位置Ｇが仮想平面Ｐ上または仮想平面Ｐに対して目標方向Ｔと反対側に配置される従来のゴルフ練習具とは相違する。
【００１５】
より詳細には、図２に示すように、練習用ゴルフクラブ１をシャフト部の軸方向に見たときに、シャフト部の中心Ｏから先端側位置決め部２１の頂部２１ａに向かう方向Ｄに対して、ヘッド部３０のリーディングエッジ３３がなす角度αを、３３〜４３度に設定することが好ましく、３８度が最適である。リーディングエッジとは、ヘッド部３０のフェース３２とソール（底）との境界線であり、リーディングエッジ３３が円弧状に湾曲している場合には、リーディングエッジ３３の最下部の接線に基づいて、上記の角度αを求めることができる。角度αが大き過ぎると、ダウンスイングにおいてフェース角を正しく維持することが困難になる一方、角度αが小さすぎると、重心位置Ｇが仮想平面Ｐに近づいて本発明の効果を得難くなる。
【００１６】
上記の構成を備える練習用ゴルフクラブ１は、従来のゴルフ練習具と同様に、グリップ部２０の先端側位置決め部２１が上を向くようにアドレスすると、図３に示す使用者目線において、ヘッド部３０のフェース３２は目標方向に対してかなり左を向く。このため、使用者に対しては、手首を返す動作（フリップ）でボールを打つと目標方向に飛ばないイメージを与えることができるので、まずは視覚的にハンドファーストでのインパクトを促すことができる。
【００１７】
図３に示すアドレスにおいては、ヘッド部３０がかなり閉じた状態になるため、ヘッド部３０の重心位置Ｇは、従来のゴルフ練習具に比べて目標方向側に位置する。ヘッド部３０の重心距離（シャフト部１０の軸線からヘッド部３０の重心位置Ｇまでの距離）を大きくすることで（例えば、４５〜５５ｍｍ）、重心位置Ｇをより目標方向側に位置させることができ、後述する本発明の効果を体感し易くすることができる。
【００１８】
図４は、図１に示す練習用ゴルフクラブの使用方法を説明するための図であり、目標方向と反対側から使用者を見た状態を示している。図４（ａ）に示すアドレスの姿勢から、フェースが閉じた状態を維持しながら図４（ｂ）に示すようにバックスイングを行うと、ヘッド部の重心位置が従来よりも目標方向側にあることで、ヘッド部がトップの位置を超えるあたりから、ヘッド部の自重によってシャフト部が後方（矢示Ａ方向）に倒れようとする力が大きく作用する。
【００１９】
これにより、使用者の腕は、使用者から見て右回り（時計回り）に回転するため、この反作用により、使用者の体は図４（ｃ）に示す矢示Ｂ方向に回転する。こうして、シャローイングの動作が自然に促されると共に、体の回転が先行してヘッド部がボールに近づくので、フェースが上を向き過ぎないように左手を掌屈させるだけで、図４（ｄ）に示すように、ハンドファーストでボールをインパクトすることができる。この後は、図４（ｅ）に示すように、体が回転する方向にフォロースルーを行うことで、スイングが終了する。
【００２０】
本実施形態の練習用ゴルフクラブ１は、シャフト部１０、グリップ部２０およびヘッド部３０のいずれも既存のパーツを利用することができ、容易且つ安価に製造することができる。
【符号の説明】
【００２１】
１  練習用ゴルフクラブ
１０  シャフト部
２０  グリップ部
２１  先端側位置決め部
２１ａ  頂部
３０  ヘッド部
３３  リーディングエッジ
【図１】
0003232874.tif 000003
【図２】
0003232874.tif 000004
【図３】
0003232874.tif 000005
【図４】
0003232874.tif 000006